(57)【特許請求の範囲】
【請求項１】
被貯蔵物を貯蔵する本体(12)に隣接して、機械室(14a)が内部画成されたユニット収納部(14)を配置し、該機械室(14a)に空調ユニット(34)を収納するようにした貯蔵庫において、
前記ユニット収納部(14)に形成される前側開口部(14b)を、前記空調ユニット(34)における本体側の側部に回動可能に配設したフロントパネル(62)により開閉するよう構成した
ことを特徴とする貯蔵庫のフロントパネル取付け構造。
【請求項２】
前記フロントパネル(62)により前側開口部(14b)を閉成したときに、その機械室側の面が、前記本体(12)の前面より前方に位置するよう設定されている請求項１記載の貯蔵庫のフロントパネル取付け構造。
【請求項３】
前記フロントパネル(62)における枢着側の縦側面には、背面側から前面側に向かうにつれて他方の縦側面に近接する傾斜面(62b)が形成されている請求項１または２記載の貯蔵庫のフロントパネル取付け構造。
【発明の詳細な説明】
【０００１】
【発明の属する技術分野】
この発明は、貯蔵庫のフロントパネル取付け構造に関し、更に詳しくは、空調ユニットが収納されるユニット収納部を、被貯蔵物が貯蔵される本体に隣接配置した貯蔵庫において、前記ユニット収納部の前側開口部を開閉するフロントパネルを、前記空調ユニットに回動可能に配設するようにした貯蔵庫のフロントパネル取付け構造に関するものである。
【０００２】
【従来の技術】
食材等を貯蔵する貯蔵室を内部画成した本体と、貯蔵室を冷却するための冷却ユニット(空調ユニット)を収納するユニット収納部とを水平に隣接配置したアンダーカウンタ式の冷却貯蔵庫(貯蔵庫)が、特に業務用の分野で好適に使用されている。例えば図１１に示すように、冷却貯蔵庫１０における本体１２には、これと隣接してユニット収納部１４が並設され、両者の上面に水平な天板１６が配設されて、これが調理台やカウンタとして機能するようになっている。本体１２は、その前部に開口部１２ａ,１２ａ(図１２に一部図示)が形成された横長の箱形に形成され、その内部に食材等の被貯蔵物を貯蔵する貯蔵室１２ｂが画成される。また本体１２の前面には、例えば観音開き式の断熱扉１８,１８が開閉可能に配設され、該扉１８,１８により開口部１２ａ,１２ａが開閉されるようになっている。
【０００３】
前記ユニット収納部１４は、側板、背板、底板および前記天板１６等によって箱形に形成されて、その内部に、前記貯蔵室１２ｂを冷却する冷却ユニット(図示せず)を収納する機械室１４ａが画成されている。なお、冷却ユニットは、圧縮機、凝縮器、冷却器等で構成され、これら冷却ユニットはユニット収納部１４の前部に形成された前側開口部１４ｂを介して機械室１４ａから引出し可能に構成される。またユニット収納部１４の前側開口部１４ｂは、該収納部１４の前面に回動可能に配設されたフロントパネル２０により開閉されるようになっている。
【０００４】
【発明が解決しようとする課題】
前記フロントパネル２０は、貯蔵室１２ｂと機械室１４ａとを仕切る本体１２の隔壁に配設された上下に離間する一対のヒンジ２２,２２を介して回動可能に配設されており、前記前側開口部１４ｂを開放する場合は、該ヒンジ２２,２２を支点として本体前面側に向けて回動するよう構成される。
【０００５】
このフロントパネル２０の開放状態においては、図１２に示す如く、前記本体１２の前面とフロントパネル２０とが重なるため、本体１２の前面におけるユニット収納部側に重なるスペースを確保しなければならない。すなわち、本体１２の前面に配設される前記断熱扉１８の幅寸法を、フロントパネル２０と干渉しないように短かくすると共に、本体１２の開口部１２ａの開口寸法も対応して小さくしなければならず、該開口部１２ａからの被貯蔵物の出し入れがし難くなる。また前記開口部１２ａの開口寸法を小さくするため、貯蔵室１２ｂにおける前側隅部にデッドスぺースＳが発生し、被貯蔵物を貯蔵し得る有効貯蔵容積が減少したり、該デッドスペースＳにゴミ等が溜まり易くなると共に、掃除性に劣る問題が指摘される。
【０００６】
なお、前記フロントパネル２０の枢着位置を、本体側とは反対側のユニット収納部１４に設定すれば、フロントパネル２０の開放時に本体前面と重なることはなくなるから、前述したデッドスペースＳが発生する等の問題を解消することは可能である。しかるにこの場合は、ユニット収納部１４を厨房の壁面に密着させて据付けると、フロントパネル２０の充分な回動スペースが確保できなくなり、その全開時においても冷却ユニットの引出しの邪魔となってしまう。従って、冷却ユニットをメンテナンスのために機械室１４ａから引出す際には、フロントパネル２０を取外す煩雑な作業が必要となる。また逆に、フロントパネル２０の充分な回動スペースを確保するためにユニット収納部１４と壁面と間に隙間をあけると、狭い厨房内におけるスペースの有効利用が図れなくなる問題を招く。
【０００７】
【発明の目的】
この発明は、前述した貯蔵庫のフロントパネル取付け構造に内在している前記問題に鑑み、これを好適に解決するベく提案されたものであって、本体に大きな有効貯蔵容積を確保したもとで、厨房内のスペースを有効利用し得るようにした貯蔵庫のフロントパネル取付け構造を提供することを目的とする。
【０００８】
【課題を解決するための手段】
前記課題を克服し、所期の目的を達成するため、本発明に係る貯蔵庫のフロントパネル取付け構造は、
被貯蔵物を貯蔵する本体に隣接して、機械室が内部画成されたユニット収納部を配置し、該機械室に空調ユニットを収納するようにした貯蔵庫において、
前記ユニット収納部に形成される前側開口部を、前記空調ユニットにおける本体側の側部に回動可能に配設したフロントパネルにより開閉するよう構成したことを特徴とする。
【０００９】
【発明の実施の形態】
次に、本発明に係る貯蔵庫のフロントパネル取付け構造につき、好適な実施例を挙げて、添付図面を参照しながら以下説明する。なお、図１１および図１２に関して説明した部材と同一の部材については、同一の符号で指示する。
【００１０】
図１に示す貯蔵庫としての冷却貯蔵庫１０は、横長に形成した箱状の本体１２の内部に、食材等の被貯蔵物を冷却貯蔵するための貯蔵室１２ｂが画成されると共に、本体１２の前側には、該本体１２の前部に開設した複数の開口部１２ａと対応して、各開口部１２ａを開閉可能に閉成する断熱扉１８が夫々配設されている。なお、本体前面の左側(ユニット収納部側)に配設される断熱扉１８は、本体１２における前面左側に配設される上下一対のヒンジ部材２４(図３に一方のみ図示)に枢着されている。また本体１２の上面に配設される天板１６は、調理台を兼ねると共に本体左側に所定長さ延出する。
【００１１】
前記本体１２の一側部(図１の左側)には、前記貯蔵室１２ｂと隔壁２５を隔てて隣接する機械室１４ａを内部画成したユニット収納部１４が隣接配置されている。このユニット収納部１４は、矩形状の枠体に、側板、背板、底板を配設すると共に、前記本体１２から延出する天板１６が上部に配設されることで箱状に形成されると共に、その前部には前側開口部１４ｂが形成してある。また、ユニット収納部１４の内部上方には、図３に示す如く、前記隔壁２５に形成した開口２５ａを介して前記貯蔵室１２ｂと連通する冷却箱２６が配設される。そしてこの冷却箱２６の内部に、貯蔵室１２ｂ内を冷却するべく機能する後述の冷却器２８および庫内ファン３０が収納されるようになっている。
【００１２】
前記機械室１４ａには、前記冷却器２８や冷凍機構３２等からなり、前記貯蔵室１２ｂを冷却するための冷却ユニット(空調ユニット)３４が、前記前側開口部１４ｂを介して引出し可能に収納されている(図２参照)。すなわち、機械室１４ａに前後動可能に収納される移動台３６に、図３に示す如く、冷凍機構３２を構成する凝縮器３８、凝縮用ファン４０および圧縮機４２が、機械室１４ａの前側から後側に向けて順に配置してある。また凝縮器３８の右側(本体側)には、前記冷却箱２６の前面側に形成した開口２６ａを閉塞する断熱蓋４４がブラケット４６を介して固定されると共に、該断熱蓋４４の背面側に冷凍機構３２から導出した冷媒配管(図示せず)が連通接続される冷却器２８が取付けられている。そして、冷却ユニット３４を機械室１４ａに収納している状態で、冷却器２８が冷却箱２６に収納されると共に、断熱蓋４４が冷却箱２６の開口２６ａを閉塞するよう位置決めしてある。なお、冷却器２８を凝縮器３８の側方に配置することで、冷却ユニット全体の高さ寸法を抑えるようになっている。
【００１３】
前記冷却器２８は、図７に示す如く、断熱蓋４４に配設された下方に開放するケーシング４８の内部に収容され、また冷却器２８より上方のケーシング内に庫内ファン３０が配置されている。そして、該庫内ファン３０を回転した場合は、前記隔壁２５の開口２５ａから冷却箱２６の内部に吸引された貯蔵室内空気が、前記ケーシング４８に下方から流入して冷却器２８を下方から上方に移動する過程で冷却され、この冷気が庫内ファン３０から貯蔵室１２ｂに吹出されて循環するようになっている。この場合に、冷却器２８と庫内ファン３０とを横方向に重なるように配置するのではなく、上下の関係で配置したことで、ケーシング内を下方から上方に流通する空気は、冷却器２８の全体に亘って通過することとなり、効率的な熱交換を行ない得るよう構成してある。
【００１４】
前記冷却器２８の下部には、除霜用のガラス管ヒータ５０が、カバー５２を介して配設されている。このカバー５２は、図５および図８に示すように、冷却器２８への取付け部５２ａと、ガラス管ヒータ５０の配設位置より貯蔵室側に臨む防熱部５２ｂと、ガラス管ヒータ５０の上方に位置して防熱部５２ｂから離間するにつれて下方傾斜する防滴部５２ｃとから基本的に構成される。また防熱部５２ｂおよび防滴部５２ｃは、ガラス管ヒータ５０の略全長を覆い得る寸法に設定され、除霜運転に際して加熱されたガラス管ヒータ５０による貯蔵室１２ｂ内の被貯蔵物への熱影響を防熱部５２ｂで防ぐと共に、冷却器２８から滴下する露がガラス管ヒータ５０に掛かるのを防滴部５２ｃにより防止するようになっている。なお、防滴部５２ｃにおける傾斜上端部には、ガラス管ヒータ５０の上方からは離間した位置に、所要寸法の切欠５２ｄが形成されて上下に連通するよう構成される。すなわち、冷却運転に際して防滴部５２ｃにより冷気の流れが邪魔されるのを抑制すると共に、除霜運転時において防熱部５２ｂと防滴部５２ｃとの連設部に熱が溜まるのを防止して除霜効率を向上させ得るようになっている。
【００１５】
前記断熱蓋４４の前面上部に、冷却貯蔵庫１０の運転制御を行なうマイコンボード、温度設定スイッチおよび電源スイッチ等を収納した電装箱５４が配設されている。この電装箱５４における本体側を向く側面上部位置に、図４に示す如く、上部雄型ヒンジ５６が配設される。また電装箱５４の下方に位置する移動台３６に、上部雄型ヒンジ５６と上下の関係で整列する下部雄型ヒンジ５８が取付板６０を介して配設され、前記ユニット収納部１４の前側開口部１４ｂを開閉するフロントパネル６２は、両雄型ヒンジ５６,５８に回動可能に配設されるよう構成される。
【００１６】
前記フロントパネル６２には、その背面(機械室側を向く面)における右端部(本体側の端部)の上下離間位置に、前記上下の雄型ヒンジ５６,５８に着脱可能な雌型ヒンジ６４,６４が配設され、雄型ヒンジ５６,５８に雌型ヒンジ６４,６４を枢着することで、当該フロントパネル６２が冷却ユニット３４に回動可能に配設される。またフロントパネル６２の右端は、図６に示す如く、前記電装箱５４の右端より本体側に所定長さだけ延出すると共に、該電装箱５４および取付板６０と本体１２の対向する左側面との間には、フロンパネル６２の右延出部６２ａの回動を許容する所定幅の隙間Ｇが画成してある。更に、フロントパネル６２により前側開口部１４ｂを閉成した状態で、その背面が、前記本体１２の前面より前方に位置するよう設定され、これによって前記隙間Ｇを含む前側開口部１４ｂを略全面的に閉成し得るようになっている。
【００１７】
またフロントパネル６２の右縦側面(枢着側の縦側面)は、図６に示す如く、背面側から前面側に向かうにつれて本体側から離間する(他方の縦側面に近接する)傾斜面６２ｂとされ、該パネル６２の開閉時に右延出部６２ａが前記本体１２や断熱扉１８と干渉するのを防止すると共に、該断熱扉１８の開閉時にフロントパネル６２と干渉するのを防止し得るよう構成される(図９および図１０参照)。
【００１８】
【実施例の作用】
次に、実施例に係るフロントパネル取付け構造の作用につき、以下に説明する。前記冷却ユニット３４を機械室１４ａに収納した状態で、図３に示す如く、前記ユニット収納部１４の前側開口部１４ｂはフロントパネル６２により閉成されると共に、前記冷却器２８は冷却箱２６に収納される。この状態で冷却ユニット３４の運転を開始すると、前記冷凍機構３２から冷却器２８に冷媒が循環供給されて該冷却器２８が冷却される。また前記庫内ファン３０が回転し、図７に示す如く、前記貯蔵室１２ｂ内における底部側の空気が隔壁２５の開口２５ａを介して冷却箱２６の下部側に吸込まれる。この空気は、前記ケーシング４８に下方から流入して前記冷却器２８との間で熱交換を行なった後、その上部の庫内ファン３０を介して貯蔵室１２ｂ内に吹出され、これにより貯蔵室１２ｂ内が冷却される。この場合に、庫内ファン３０は冷却器２８の上方に位置しているから、ケーシング４８を流れる空気は該冷却器２８の全体を通過することとなり、効率的な空気の冷却が達成される。また、冷却器２８の下部に配設した前記カバー５２におけるガラス管ヒータ５０の上部を覆う防滴部５２ｃには、上下に連通する切欠５２ｄが形成されているから、該切欠５２ｄを介して空気が冷却器２８側に流れる。すなわち、カバー５２により空気の流れが阻害されることで冷却効率が低下するのは抑制される。なお、冷却器２８での効率的な熱交換が可能となるから、該冷却器２８として小型のものを使用しても同じ能力が期待でき、この場合は機械室内のスペースの有効活用も可能となる。
【００１９】
次に、除霜運転が開始されると、前記ガラス管ヒータ５０への通電が開始され、該ヒータ５０により前記冷却器２８が加熱されて霜が溶け、除霜が達成される。この場合に、冷却器２８から滴下する露は、前記カバー５２の防滴部５２ｃによりガラス管ヒータ５０に直接掛かるのは防止される。また、ガラス管ヒータ５０と貯蔵室１２ｂとの間には防熱部５２ｂが臨んでいるから、該ヒータ５０の熱が貯蔵室１２ｂに侵入するのは抑制され、被貯蔵物の熱影響を防ぐことができる。更に、防熱部５２ｂと防滴部５２ｃとの連設部には前記切欠５２ｄが形成されているから、ガラス管ヒータ５０の熱が該連設部に溜まることなく、冷却器２８に効率的に伝わって除霜効率を向上し得る。なお、切欠５２ｄはガラス管ヒータ５０の上方からは離間しているから、冷却器２８から滴下する露が切欠５２ｄを介して該ヒータ５０に掛かることはない。
【００２０】
前記冷却ユニット３４を点検するに際しては、前記フロントパネル６２をヒンジ５６,５８,６４,６４を支点として本体側に回動して前側開口部１４ｂを開放する。この場合に、フロントパネル６２を冷却ユニット３４に回動可能に配設すると共に、該パネル６２の右延出部６２ａを収容可能な隙間Ｇを電装箱５４,取付板６０と本体１２との間に画成しているから、フロントパネル６２の全開時において本体前面との重なりは殆どなくなる。すなわち、本体１２側にフロントパネル６２との重なりのためのスペースを設ける必要はなく、これによって断熱扉１８の幅寸法を大きく設定し得ると共に前記開口部１２ａの開口寸法も大きく設定でき、被貯蔵物の出し入れが容易になると共に、貯蔵室１２ｂにおける前側隅部にデッドスぺースＳが発生することもなく、有効貯蔵容積も増える。また、デッドスペースＳにゴミ等が溜まったり掃除性が低下することも解消される。
【００２１】
また実施例では、フロントパネル６２の右縦側面に傾斜面６２ｂが形成されているから、その枢着部からパネル前面角部の本体側への突出寸法は少なくなる。。すなわち、図９に想像線で示すように、フロントパネル６２を断熱扉１８と干渉させることなく全開することができ、また図１０に想像線で示すように、断熱扉１８をフロントパネル６２と干渉させることなく全開することもできる。そして、前記傾斜面６２ｂにより、断熱扉１８および開口部１２ａの寸法を更に大きく設定し得るようになる。更に、フロントパネル６２で前側開口部１４ｂを閉成した状態で、その背面は本体１２の前面より前方に位置するよう設定してあるから、フロントパネル６２の枢着部から本体側に前記右延出部６２ａを延出し、その端を本体側に近づけることができる。すなわち、右延出部６２ａの端の回動軌跡が本体１２と干渉しない範囲で本体側により近づけることが可能となり、これによって前記隙間Ｇを含む前側開口部１４ｂを略全面的に閉成し得るようになる。
【００２２】
なお、前記フロントパネル６２の枢着部を本体側としてあるから、前記ユニット収納部１４の左端面(本体側とは反対の面)を厨房の壁面に密着させることができ、狭い厨房内におけるスペースの有効利用を図ることができる。また実施例のフロントパネル６２は、ユニット収納部１４に収納される冷却ユニット３４に配設されるものであるから、該フロントパネル６２を開放することなく該冷却ユニット３４を前記機械室１４ａから引出すことが可能である。
【００２３】
実施例の冷却ユニット３４では、前記凝縮器３８の側方に冷却器２８を配置したから、ユニット全体の高さ寸法を小さく抑えることができ、これによって冷却貯蔵庫自体の高さ寸法も小さくすることが可能となる。また冷却ユニット３４の高さ寸法を小さく抑えることで、ユニット自体の強度を向上させ得ると共に安定化が図られる。
【００２４】
なお実施例では、貯蔵庫として被貯蔵物を冷却する場合で説明したが、被貯蔵物を加温するものであってよい。またフロントパネルは、実施例のように電装箱や取付板でなく、冷却ユニット(空調ユニット)を構成する他の部材に枢着する構成を採用し得る。
【００２５】
【発明の効果】
以上説明した如く、本発明に係る貯蔵庫のフロントパネル取付け構造によれば、ユニット収納部に収納される空調ユニットにフロントパネルを回動可能に配設したから、ユニット収納部を厨房の壁面に密着させることが可能となり、狭い厨房内におけるスペースの有効利用を図り得る。またフロントパネルの枢着部を本体側とした場合においても、該パネルの開放時に本体前面に重ならないよう構成し得るから、本体に形成される貯蔵物の出し入れ用の開口部や断熱扉の寸法を大きくすることが可能となり、被貯蔵物の出し入れが容易になると共に、本体内にデッドスぺースを発生させないようにし得る。従って、有効貯蔵容積を増やしたり、掃除性を向上することができる。
【００２６】
更に、フロントパネルにより前側開口部を閉成した状態で、その機械室側の面が、本体の前面より前方に位置するよう設定したことで、フロントパネルの開閉時に本体側に干渉させることなく前側開口部を略全面的に閉成することを可能とし得る。また、フロントパネルにおける枢着側の縦側面に傾斜面を形成したことで、該パネルの枢着側の端を本体側に近づけることが可能となり、本体とユニット収納部との間の前側を覆うことができる。
【図面の簡単な説明】
【図１】  本発明の好適な実施例に係る冷却貯蔵庫を示す外観斜視図である。
【図２】  実施例に係る冷却貯蔵庫のユニット収納部から冷却ユニットを引出す状態を示す要部外観斜視図である。
【図３】  実施例に係る冷却貯蔵庫を一部破断して示す要部平面図である。
【図４】  実施例に係る冷却ユニットを示す正面図である。
【図５】  実施例に係る冷却ユニットを示す側面図である。
【図６】  実施例に係るフロントパネルと本体および断熱扉の関係を示す説明図である。
【図７】  実施例に係る冷却箱に冷却器を収納した状態を示す概略構成図である。
【図８】  実施例に係るガラス管ヒータのカバーを示す縦断側面図である。
【図９】  実施例に係るフロントパネルを開閉する状態を示す説明図である。
【図１０】  実施例に係る本体の断熱扉を開閉する状態を示す説明図である。
【図１１】  従来の技術に係る冷却貯蔵庫の正面図である。
【図１２】  従来の技術に係るフロントパネルと本体および断熱扉の関係を示す説明図である。
【符号の説明】
１２ 本体，１４ ユニット収納部，１４ａ 機械室，１４ｂ 前側開口部
３４ 冷却ユニット(空調ユニット)，６２ フロントパネル，６２ｂ 傾斜面
【図１】
0003754339.tif 000002
【図２】
0003754339.tif 000003
【図３】
0003754339.tif 000004
【図４】
0003754339.tif 000005
【図５】
0003754339.tif 000006
【図６】
0003754339.tif 000007
【図７】
0003754339.tif 000008
【図８】
0003754339.tif 000009
【図９】
0003754339.tif 000010
【図１０】
0003754339.tif 000011
【図１１】
0003754339.tif 000012
【図１２】
0003754339.tif 000013